Podtech/llm-jp-corpus-v4-ja_patent huggingface dataset:
(57)【要約】【課題】アルコールの消化を促進する。【解決手段】飲酒中および飲酒後の酔いのある間、種子を除きカットした形状の唐辛子を、前歯の歯ぐきの上部隙間の最上部に保持する。【選択図】図１
2015021005.tif 000002
【特許請求の範囲】
【請求項１】
前歯の歯ぐきの上部隙間の最上部に保持されるべく種子を除きカットした形状でアルコール消化用に使用する唐辛子
【発明の詳細な説明】
【技術分野】
【０００１】本発明はアルコールの消化促進用の唐辛子に関する。
【背景技術】
【０００２】
【先行技術文献】
【発明の概要】
【発明が解決しようとする課題】  飲みすぎたときにはアルコールの消化を促進することが求められるが、効果のある消化剤はどこにもないので、肝機能を高めたり栄養補給することが対策とされている。本来的なアルコール消化剤を提供する。
【課題を解決するための手段】  飲酒中および飲酒後の酔いがあるときに、種子を除きカットした形状の唐辛子を前歯の歯ぐきの上部隙間の最上部（以下定位置と称す。図１の３．とうがらし片の位置参照）に保持する。
【発明の効果】  画期的なほどに顕著なアルコールの消化促進効果があってたとえば、酒に負けにくくなったりいつもの悪酔いがなくなったり泥酔しにくくなったりして快適な酔いが得られる。個人差がいかんせんあるけれどいわゆる酒豪の酔いが得られやすくなる。
本発明のポイントは唐辛子を上述の定位置に保持する１点にあって、これにより辛味成分が定位置周辺の粘膜から上あご内部に入り生理機能に働きかけて画期的なアルコール消化促進が実現するのだろう。なお、酒を唐辛子で辛くして飲んでも消化促進の効果が生じることはない。
【図面の簡単な説明】
【図１】  本発明実施時の上あご部分の側面断面図を示したものであり、３．が定位置である。
【発明を実施するための形態】
種子を取り除いて適切なサイズにカットした唐辛子を、上述の定位置に飲酒中および飲酒後の酔いのある間保持する。飲酒中であればアルコール消化が促進されて酒に強くなって快適な酔いになり、また飲酒終了後にあっては残っている悪い酔いを消化する。
唐辛子の辛さを極端に嫌う人やあまり飲めない人は本発明を開始しづらいけれど、慣れが与える影響も結構大きいので、少しずつでも控えめに開始されることをお勧めしたい。
唐辛子を保持するうえでの注意事項は、辛すぎると感じたときはまず口中の唐辛子をすぐに取り出すことである。ほかには飲食物の追加も対策として有効である。
【実施例】  種子を除いて０．５〜１ｃｍの間隔にカットした中国料理用唐辛子および日本酒と少量のツマミを準備して本発明を１時間実施するよう合計９名に各々提案した。うち４名は実施し、５名は辛すぎるとして中断し辞退した。
実施した４名の全員が実施中にアルコールの消化がよくなって酔いにくくなったと感想を述べた。いつもの酒量に達する段階では明らかに酩酊の度合いが緩和されていた。
結果として１時間後には、いつもの酒量を半合以上回っており、飲酒を終了した。
その時点では２名は未消化の酔いがあったのでしばらく保持を継続したところ保持しないに比べて消化が促進されることを実体験した。
翌日の宿酔いは全員まったくなかった。
2015021005.tif 000003
【産業上の利用可能性】
【０００８】
【図１】
2015021005.tif 000004
(57)【要約】      （修正有）【課題】効率化がはかられてしかも合理的な電子回路を提供する。【解決手段】光センサ回路７を半導体ダイオード３個で組み合わせ、導通線１，３，５と非導通線２，４，６で構成されている。【選択図】図１
2015021959.tif 000002
【特許請求の範囲】
【請求項１】
図３（１）導通線（２）非導通線（３）導通線（４）非導通線（５）非導通線（６）導通線（７）光センサ回路
（７）の光センサ回路を設けた事により半導体ダイオードのオープンがひと目で分かります。
日本国中
【発明の詳細な説明】
【技術分野】
【０００１】
【背景技術】
【０００２】従来、半導体ダイオード１つでしたが３個組み合わせた形で電子回路の効率化がはかれます。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
電子回路の組み合わせでとりもつ合理性が得られます。
【課題を解決するための手段】
【・・・・】
ダイオードのオープンが光センサー回路によりわかります。
【発明の効果】
【・・・・】
オーデイオ・ＴＶ・その他の回路図に非常に有効になります。
【図面の簡単な説明】
【・・・・】
【図１】
回路図
【図２】
側面図
【図３】
平面図
【発明を実施するための形態】
【・・・・】
【実施例】
【・・・・】
【産業上の利用可能性】
【・・・・】
エレクトロニクス部門に大変役立ち、なくてはならない半導体ダイオードの３個組み合わせ部品となります。
【符号の説明】
【・・・・】
［図１］回路図［図２］側面図［図３］（１）導通線（２）非導通線（３）導通線（４）非導通線（５）非導通線（６）導通線（７）光センサー回路
【受託番号】
【・・・・】
【図１】
2015021959.tif 000003
【図２】
2015021959.tif 000004
【図３】
2015021959.tif 000005
【手続補正書】
【提出日】平成26年7月10日(2014.7.10)
【手続補正１】
【補正対象書類名】明細書
【補正対象項目名】全文
【補正方法】変更
【補正の内容】
【発明の詳細な説明】
【技術分野】
【０００１】この発明は、ダイオードに光センサー器を設けたダイオード３個組み合わせ器に関するものである。
【背景技術】
【０００２】従来、ダイオードと光センサー器とは別々になっていた。
【発明の概要】
【発明が解決しようとする課題】
【０００４】従来、ダイオードは何度も使っていると、ダイオードのオープンがあり、これを見つけるのにこまることが多くあった。
本発明は以上のような欠点をなくすためになされたものである。
【課題を解決するための手段】
【０００５】ダイオード（１）導通線（２）非道通線（３）導通線（４）非道通線（５）非道通線（６）導通線（７）光センサー器を設けた。
本発明は以上の構成よりなる光センサー器付きダイオードである。
【発明の効果】
【０００６】光センサー器がダイオードといったいになっているので、ダイオードのオープンとなったときでも、光センサー器が知らせてくれます。微弱な電流値には光センサー器の状態に注意をすれば、使うのになんらさしつかえない。
【図面の簡単な説明】
【０００７】
【図１】本発明の記号図である。
【図２】本発明の側面図である。
【図３】本発明の平面図である。
【発明を実施する為の形態】
【０００８】以下、本発明を実施するための形態について説明する。
ダイオード（１）導通線（２）非道通線（３）導通線（４）非道通線（５）非道通線（６）導通線に光センサー器を設けました。
本発明は以上のような構造である。
これを使用するときは、ダイオードと光センサー器がいったいになったこの光センサー器の点滅でダイオードのオープンを知ることができます。
【産業上の利用可能性】
【０００９】この発明は、電子回路、スーパーコンピュウターなどの故障の早期発見、各家庭の家電製品になくてはならないヒット商品になることはいうまでもありません。
瞬時に各部の電子回路の異常をいち早く知らせてくれます。
光センサー器に異常を知らせ、それに、警報ブザーを装着させることにより少し離れたところでもこれらの故障を知らせることができます。
【符号の説明】
【０００１０】１  導通線
２  非導通線
３  導通線
４  非道通線
５  非道通線
６  導通線
７  光センサー器
(57)【要約】【課題】血液成分を主成分としたテストソイルは、高疎水性のポリテトラフルオロエチレン（ＰＴＦＥ）などのフッ素系樹脂に付着しにくいという問題がある。また、脂肪をテストソイルとした場合は、洗浄後の残留物を検出することが難しい。脂肪と親和性が高い色素との混濁状態を作成し容易に目視で判定できるテストソイルは無かった。【解決手段】本発明のテストソイルは、常温で固体である脂肪に、カロテノイド系色素を混合した物質である。フッ素系樹脂にも付着しやすく、洗浄の困難な汚染物である脂肪を色素で着色した混和物により目視による洗浄評価しやすいテストソイルとなっている。【特許請求の範囲】
【請求項１】
常温で固体である脂肪にカロテノイド系色素を混合した洗浄目視評価用テストソイル。
【発明の詳細な説明】
【技術分野】
【０００１】本発明は、医療機器の洗浄において高疎水性の素材に塗布する洗浄評価用試薬に関する。
【背景技術】
【０００２】手術器具等の洗浄プロセスを評価するための人工汚染物（テストソイル）としては、血液成分や鶏卵、ムチンなどタンパク質やでんぷんを主成分とした汚染物が使われている。
【先行技術文献】
【非特許文献】
【０００３】
【非特許文献１】ＩＳＯ１５８８３−５：  Ｔｅｓｔ  ｓｏｉｌｓ  ａｎｄ  ｍｅｔｈｏｄｓ  ｆｏｒ  ｄｅｍｏｎｓｔｒａｔｉｎｇ  ｃｌｅａｎｉｎｇ  ｅｆｆｉｃａｃｙ
【発明の概要】
【発明が解決しようとする課題】
【０００４】前記したような、タンパク質やでんぷんを主成分とするテストソイルは、高い疎水性を持つ物質、特にポリテトラフルオロエチレン（ＰＴＦＥ）などのフッ素系樹脂に付着させることが困難である。ＰＴＦＥは軟性内視鏡などに用いられている。疎水性の高いＰＴＦＥ製の機器へ付着した汚染物の主成分は脂肪であるが、残留した脂肪を目視で確認することは難しく、洗浄性を簡便に目視評価するのに適したテストソイルが存在しなかった。
【課題を解決するための手段】
【０００５】常温で固体である脂肪にカロテノイド系色素を混合させ着色した物質を作成する。
着色した脂肪をＰＴＦＥの表面に塗布し常温で固化させる。
【発明の効果】
【０００６】本発明のテストソイルは、ＰＴＦＥへの付着と視認性が高く洗浄後の残留物評価に適しており、目視による判定が容易に行える。
【発明を実施するための形態】
【実施例】
【０００７】以下、本発明の実施の例について、内径４ｍｍ、外径５ｍｍのシリコーン製チューブの両端にそれぞれ内径４ｍｍ、外径５ｍｍ、長さ５００ｍｍのＰＴＦＥ製チューブを差し込み、ＰＴＦＥチューブの間隔が１５ｍｍになるよう固定されたチューブ状の器具の内側にテストソイルを作成する場合について述べる。
純正ラードを湯煎にて５０℃に熱し、３７℃に下がるようにした後にカロテノイド系色素（βカロテン、パプリカ色素など）を、湯煎した純正ラードに対して４：１の比率で添加し調整する。
直径０．２８ｍｍ、長さ１３００ｍｍのステンレスワイヤーに、不織布を直径４ｍｍ程度になるよう取り付ける。
チューブの片側から、３７℃に加熱した着色したラードをマイクロピペットを用いて５０μｌ注入し、注入方向から４ｍｍ不織布付きステンレスワイヤーをチューブに通す。これを１時間以上常温にて放置したものをテストソイルとする。
(57)【要約】【課題】  需要側負荷の変動にともなって変化する電圧を、水量の調節で出力電圧の安定化を図るとともに、水の無駄使いをなくすようにする。【解決手段】  上部水源１から水を引導する導水管２の途中に電動比例バルブ３を設け、需要側負荷の変動にともなって変化する電圧が比例バルブ制御装置に設定した電圧値となるように比例バルブ制御装置によって自動的に水量調節をして電圧の安定化を図り、合わせてこの水量調節が水の無駄使いをなくすことになる。【選択図】図１
2015021430.tif 000002
【特許請求の範囲】
【請求項１】
導水管に接続した水車に連結する発電機により発電した電力が需要側負荷の変動に
応じて変化する電圧値が、比例バルブ制御装置に設定した電圧値を維持するように該
水車の導水管に装備した電動比例バルブと該電動バルブの開閉を自動制御する比例バ
ルブ制御装置を備えた事を特徴とする小水力発電機の出力電圧安定化装置。
【発明の詳細な説明】
【技術分野】
【０００１】
本発明は需要側負荷変動によって変化する電圧を水量調整によって安定化に関する。
【背景技術】
【０００２】
小水力発電で発電した電気を利用するためには電圧を安定させる必要があるが、従来
の安定化方法は余剰電力をダミー負荷で消費（例えば特許文献１）する方法や、水圧力
の変化により電動弁の調整（例えば、特許文献２）であったり、周波数の検出で制御
（例えば、特許文献３）していた。
【先行技術文献】
【特許文献】
【０００３】
【特許文献１】特開平７−２１７５２６
【０００４】
【特許文献２】特開２００４−２３３４３１
【０００５】
【特許文献３】特開平６−１４４４８
【発明の概要】
【発明が解決しようとする課題】
【０００６】
小水力発電機は中山間地域の小規模水源を利用するケースが見られるが、これまでの
該装置は制御システムや構造が複雑で点検やメンテナンスに相応の技術が必要であり、
今後該装置を普及するに当たり一般的な地域住民でも解り易く対応可能な簡易なシス
テムと構造が必要である。
【０００７】
本発明は、需要側負荷変動によって変化する電圧を、水量調整する電動比例バルブ
を介して水量を調整し電圧安定化を図り、合わせて水を無駄使いしない出力電圧安定
化装置を具備した小水力発電機を提供することを目的としている。
【課題を解決するための手段】
【０００８】
本発明に係る出力電圧安定化装置は、水車に連結した導水管の途中に電動比例バルブ
を設け、需要側負荷変動によって変化する電圧によりこの電圧値が設定した電圧値と
なるように比例バルブ制御装置により水量を調整し電圧を安定化する、電動比例バルブ
と比例バルブ制御装置を備えたものである。
【発明の効果】
【０００９】
本発明によれば、需要側負荷変動によって変化する電圧により、電動比例バルブと
比例バルブ制御装置により水量を自動調整し出力電圧を安定化する簡易なシステムと
構造であり、一般的な地域住民にも解り易く点検やメンテナンスが可能になる。
【００１０】
出力電圧が安定することで市販の電気機器が直接使用できるので、他の電圧安定器や
DCAC変換のインバータが不要となり設備費用の軽減ができる。
【００１１】
需要側負荷の変動に応じて水量を調整するので、不要な水の節約になり水資源の有効
利用に貢献する。
【図面の簡単な説明】
【００１２】
【図１】本発明の水量による出力電圧安定化装置の一実施形態のシステム図である。
【発明を実施するための形態】
【実施例１】
【００１３】
図１は本発明の一実施例による小水力発電機の水量による出力電圧安定化装置を示
すシステム構成図である。
【００１４】
図１による上部水槽１に付設された導水管２の他方の出口は水車４に接続され、該水
車近くの導水管２の途中に比例バルブ制御装置によって水量を調整する電動比例バル
ブ３を装着し、該水車４の回転駆動により発電機５が発電し需要側に電力を供給する。
【００１５】
該発電によって供給された電力は、需要側負荷の変動で変化する電圧の安定化が必要
であり、装備した交流電圧トランスデューサ６はこの変化する電圧を入力し計装信号に
変換してデジタル指示調節器７に送り、該デジタル指示調節器は設定した電力値となる
ように電動比例バルブ３の水量を調整して出力電圧の安定化を図る。
【００１６】
該出力電圧安定化装置の該電動比例バルブ３と該交流電圧トランスデューサ６と該
デジタル指示調節器７はそれぞれ作動するための電源が必要であり、該装置によって供
給された電力の併用で充電器８によって12V蓄電池９に蓄電し、DCACインバータ
１０で変換したAC100V電力をそれぞれの機器の制御用電源として供給する。
【００１７】
一般的に小水力発電は水の落差や水量条件と水車の形態や発電機の特性によって発
電数値が大きく変わるが、該小水力発電機においても制御機器の保護や電化機器の安全
の面から、水力の諸条件によっても無負荷時の発電電圧が一定の電圧範囲となるように
必要に応じて電圧昇降変圧器１１により変圧する構造とする。
【符号の説明】
【００１８】
１  上部水槽
２  導水管
３  電動式比例バルブ
４  水車
５  発電機
６  交流電圧トランスデューサ（株式会社エム・システム技研製  形式：１４ＰＥ）  
７  デジタル指示調節器（富士電機株式会社製  形式：ＰＸＧ４）
８  充電器
９  蓄電池（12V）
１０  DCACインバータ
１１  電圧昇降変圧器
【図１】
2015021430.tif 000003
(57)【要約】【課題】本発明は、従来の２サイクル内燃機関ピストンにおいて、このピストン下部両側面に仕切を設けピストン上死点から下降時に混合ガスをこの仕切版により下方向に押し下げこの圧力向上効果により掃気通路に於いて通過スピードを上げ燃焼室へ混合気を増大させることによる性能の向上が出来る２サイクル内燃機関ピストンを提供する。【解決手段】２サイクル内燃機関ピストン１６は、このピストンの下部両側面Ｈ−Ｈ’及びＩ−Ｉ’を結ぶ内側へ湾曲した隔壁を設けた２サイクル内燃機関ピストン。【選択図】図３
2015021492.tif 000002
【特許請求の範囲】
【請求項１】
ヘット部と、このヘット部の下部に連なる筒状のスカート部の両対向側壁に形成した一対のピンボス部とからなる従来の２サイクル内燃機関ピストンにおいて、ピストン下部両側面に中心に向かって湾曲した隔壁を設け混合気の流れを向上させる、この一連の構造を形成したことを特徴とする２サイクル内燃機関用ピストン。
【請求項２】
前記隔壁のＨ−Ｈ’の断面形状を直線的（形状２）につないだ形状を特徴とする請求項目１記載の２サイクル内燃機関ピストン。
【請求項３】
前記隔壁のＨ−Ｈ’の断面形状を外側へ湾曲（形状３）につないだ形状を特徴とする請求項目１記載の２サイクル内燃機関ピストン。
【発明の詳細な説明】
【技術分野】
【０００１】  本発明は、ヘット部と、このヘット部の下部に連なる筒状のスカート部の両対向側壁に形成した一対のピンボス部とからなる従来の２サイクル内燃機関ピストンにおいて、ピストン下部両側面に中心に向かって湾曲した隔壁を設け混合気の流れを変えることにより、掃気通過速度を向上させ燃焼室へ混合ガスを増加させる２サイクル内燃機関用ピストン。
【背景技術】
【０００２】  従来の２サイクル内燃機関ピストンの下部両側面は仕切隔壁がなく解放になっている。出力を向上させる場合には一つの手段として混合ガスをより多く燃焼室へ送ることにより向上が得られる。極端な例としては、ターボチャージャーやスーバー゜ーチャージャー等がある。【０００３】  図６は従来の従来の２サイクル内燃機関ピストンの断面図である。内燃機関ピストン１６はヘッド部上部１６ａは一体形状になっている。下部に筒状のスカート部１６ｂを備え、スカート部１６ｂの両対面側壁に一対のピンボス部１６ｃをがある、下部両サイド側面Ｆ−Ｆ’は逆Ｕ字の解放された形状になっている。
【発明の開示】
【発明が解決しようとする課題】
【０００４】  本発明は、従来の２サイクル内燃機関ピストンにおいて、このピストンの下部両側面のスカート部に隔壁を設けピストン下降時に混合気がこの隔壁により強制的に掃気ポートへ圧力をかけることにより燃焼室への混合ガスの増加が得られ、同排気量に於いて性能の向上が得ることが出来る従来の２サイクル内燃機関ピストンを提供する。
【課題を解決するための手段】
【０００５】  上記課題を達成するために請求項１は、ヘット部と、このヘット部の下部に連なる筒状のスカート部の両対向側壁に形成した一対のピンボス部とからなる従来の２サイクル内燃機関ピストンにおいて、ピストン下部両側面に中心に向かって湾曲した隔壁を設けたことを特徴とする。【０００６】  下部両側面のスカート部に隔壁を設けた、これによりピストン下降時混合ガスが掃気ポートへの流れが増大し燃焼室内の混合気が増大する事により、出力の向上が得られる。【０００７】  請求項２は隔壁断面形状を直線的につないだ形状を特徴とするピストン。【０００８】  請求項３は隔壁断面形状を外側へ湾曲とした形状を特徴とするピストン
【発明を実施するための形態】
【０００９】  上記の如く発明したことにより、ピストン下部両側面に中心に向かって湾曲した隔壁を設け混合気の流れを変えることにより、掃気通過速度を向上させ燃焼室へ混合ガスを増加させる事が出来ることにより出力増加が得られる。
【発明の効果】
【００１０】  本発明は以上の構成により次の効果を発揮する、ピストン下部両側面に中心に向かって湾曲した隔壁を設けたピストンがピストン下降時に隔壁により混合気が圧縮され混合気の流れを掃気ポートへ効率良く送ることが出来る、本発明でもっとも効果が発揮されるのが増加された混合気が燃焼室へ送られる事が出来る、従って、内燃機関の出力を向上させることが出来る。
【図面の簡単な説明】
【図１】本発明に係る２サイクル内燃機関エンジンの断面図（新形状ピストンの混合気の流れ）
【図２】本発明に係る２サイクル内燃機関エンジンの断面図（従来形状ピストンの混合気の流れ）
【図３】新形状ピストンの詳細断面図
【図４】新形状ピストンの３面図
【図５】新形状ピストン請求項２及び３の形状断面図
【図６】従来のピストンの３面図
【符号の説明】１０            ２サイクル内燃機関のピストン本体
１０ａ          燃焼室（２次圧縮）
１１            シリンダー本体
１１ａ          シリンダー掃気ポート通路
１２            クランクケース本体
１２ａ          クランクケース内（１次圧縮）
１３            クランクシャフト
１４            コネクテングロッド
１６            ピンピストン
１６ａ          ピストン上部形状
１６ｃ          ピストンピンボス部
Ｂ．Ｃ．Ｄ．Ｅ  混合気の移動経路
Ｚ              新形状ピストン下部サイド隔壁断面形状部
【図１】
2015021492.tif 000003
【図２】
2015021492.tif 000004
【図３】
2015021492.tif 000005
【図４】
2015021492.tif 000006
【図５】
2015021492.tif 000007
【図６】
2015021492.tif 000008
(57)【要約】【課題】従来存在する自然エネルギー利用方式に太陽熱、風力等単独型がある。複数の自然エネルギーを同時に一つの装置で回収利用すれば、装置に使用する資材等を少なく効率が上がり、発電コストは下がる。同一体による発電装置を提供する。【解決手段】上記課題について一つの装置で太陽熱と風力の複数エネルギーを少なくとも一つ以上のものを回収し発電するものとした。熱回収にフード上部に集まった熱をヒートパイプで回収、熱エンジンを介し太陽熱発電機を駆動する。風力回収は風取入部より入った風が集風装置に沿ってフード内で上昇し、ベンチュリ効果と煙突効果での相乗効果で流速を早め上昇する。フード上部内側に設けた風車を回転させ風力発電機を駆動する。各部を通過した気流は排出口から大気中に排出される。一つで複数の自然エネルギーを同時回収する発電装置。【選択図】図１
2015021469.tif 000002
【特許請求の範囲】
【請求項１】
太陽熱発電機と、風力発電機と、上部になるにつれて断面積が次第に小さくなる笠形のフードと、前述フードの下部に設けられた集風装置と、前述フード内部上端に設けられた風車と、前述フード外部に貼り付けたヒートパイプと前記ヒートパイプの上方に配置され前記ヒートパイプにより加熱される蓄熱槽と、前記蓄熱槽から供給された熱媒体により駆動される熱エンジンを備えた一体構造の発電装置で、太陽熱発電をし、片や前記フードの上端内側に風車を備えフード下部の集風装置より入り込んだ自然風を、太陽熱で熱した前記フードとヒートパイプによりフード内で気流の温度を上昇させ煙突効果を得て気流を上昇させ、前記フード上端と下端の断面積に上端が下端より小さくなるよう差を作り、増速させた気流で風車が回転し風力発電機を駆動、風力発電し、太陽熱と風力回収時に装置内の一部分を兼共用して発電を得ることを特徴とする自然エネルギー複合発電装置。
【発明の詳細な説明】
【技術分野】
【０００１】
太陽熱と風力を複合利用した発電装置に関するものである。
【背景技術】
【０００２】
自然エネルギーを利用した発電装置の内、太陽熱、風力それぞれ単独利用のものは従来から実現している。
【発明の概要】
【発明が解決しようとする課題】
【０００３】
自然界から得られる無償の膨大なエネルギーはクリーンエネルギーとして一時としても無駄にしてはならない。またその有効活用を常に心がける必要がある。太陽熱や風力を効率よく有効活用し、複数の自然エネルギーをひとつの装置で同時回収し発電する点にある。自然エネルギー複合発電装置を提供する。
【課題を解決するための手段】
【０００４】
上記課題を解決するために本発明は、太陽熱発電機と、風力発電機と、上部になるにつれて断面積が次第に小さくなる笠形のフードと、前記フードの下部に設けられた集風装置と、前記フード内部上端に設けられた風車と、前記フード外部に貼り付けたヒートパイプと前記ヒートパイプの上方に配置され前記ヒートパイプにより加熱される蓄熱槽と、前記蓄熱槽から供給された熱媒体により駆動される熱エンジンを備えた一体構造の発電装置で、太陽熱による発電をし、片やフードの上端内側に風車を備えフード下部の集風装置より入り込んだ自然風を、太陽熱で熱しフードとヒートパイプによりフード内で気流の温度を上昇させ煙突効果を得て気流を上昇させ、フードで上端と下端の断面積に上端が下端より小さくなるよう差を作り、増速した気流で風車が回転し風力発電機を駆動、風力による発電実現、太陽熱と風力回収時に装置内の一部分を兼共用して複合発電することを構成したものである。
【発明の効果】
【０００５】
一つの発電装置で太陽熱と風力を少なくとも一つのエネルギーをその自然エネルギー特性に応じて回収し装置に要する資材も軽減され設備費の節約となり発電コストを下げる。同一箇所に於いて複数エネルギーを対象に回収し、一装置で回収エネルギーが増える分装置あたりの発電効率が上がり発電コスト安になる。二つの自然エネルギーを同時回収することが可。太陽熱エネルギーと風力エネルギーを可能な限り有効活用し太陽熱、風力だけと限定せず、双方の特性利点を活かし無償の太陽熱と風力活用による複合発電装置を実現する。省資源。それぞれ単独のものよりも低コストにすることができる。発電規模を自由に選ぶことが可。発電量としては家庭用の数KWから大規模のMW級まで対応。一体型の装置で複数の自然エネルギーの内、少なくとも一つの自然エネルギーを有効回収し発電する自然エネルギー複合発電を実現。
【図面の簡単な説明】
【０００６】
【図１】本発明の実施形態を示す断面（A,A）図(a)と外形図(b)
【図２】全方向集風装置10の外形図(a)と平面図(b)
【図３】装置の断面（B,B）図（a）と平面図(b)
【発明を実施するための形態】
【０００７】
以下本発明の実施の形態を図１から３に基づいて説明する。
【０００８】
太陽熱はフード１を熱すると共にフード上部外周に設けたヒートパイプ２はフードで太陽熱と上昇気流で加熱され蓄熱槽９の水を加熱する。
加熱された温水で熱エンジン３（一例として熱機関の一種であるランキン・サイクルにバンケルエンジンを搭載したもの）を回転させ太陽熱発電機６を駆動し太陽熱による発電を実現する。
【０００９】
図１フードの下部の周辺から吹き込んだ風はその風向きに関係なく取り入れ可能な構造の集風装置10より装置に入り込む。図１の集風装置10の取入口７から入った風は装置の構造に沿って上昇気流となる。この気流はフード内で太陽熱等の自然温度上昇による影響をうけ密度変化し煙突効果によりフード上部へ上昇する。
【００１０】
同時にフード１上部ではフード１より入り込んだ風は取入口７と排出口８の断面積において出口断面積を小さくした構造にしてあるため排出口８で気圧差ができる。この気圧差によるベンチュリ効果でフードの排出口８付近で風速が早まる。
【００１１】
前述にある煙突効果との相乗効果により排出口付近で流速が数倍に増す。風エネルギーは風速の３乗に比例するので大きな効果を得る。排出口付近に設置してある風車４は増速された気流によって回転し風力発電機５を駆動させ風力発電を実現する。
【００１２】
この装置の無風時対策として発電機軸に蓄勢輪12を備えその影響を軽減する。
風力発電で問題になる突風対策などとして、機器や装置の安全対策にフード外部に自動開閉口11を取り付け突風から守る構造とする。
【産業上の利用可能性】
【００１３】
単独個別の各種分散型発電、大規模供給、非常災害時、山間僻地、等広範囲に設置等。
【符号の説明】
【００１４】
１  フード
２  ヒートパイプ
３  熱エンジン
４  風車
５  風力発電機
６  太陽熱発電機
７  集風取入口
８  排出口
９  蓄熱槽
10  集風装置
11  突風逃し口
12  蓄勢輪
【図１】
2015021469.tif 000003
【図２】
2015021469.tif 000004
【図３】
2015021469.tif 000005
(57)【要約】      （修正有）【課題】熱可塑性合成樹脂を溶融し線條を降下させながら延伸と立体網目集合体を形成する装置において、密度の均一な網目とする。【解決手段】熱可塑性合成樹脂を溶融し線條を降下させる領域にて、溶融線條３の側面から線條を左右に分散させる為の往復運動針４や往復運動棒４への線條の付着を防止するため、線條降下領域内の温度を、樹脂の溶融温度よりも下げ、線條の表面は固化させ、内部は溶融状とする様、線條周囲の気温を線條の溶融温度より１０℃から１００℃の範囲内とし、立体網目集合体１０を形成させた。【選択図】図１
2015021213.tif 000002
【特許請求の範囲】
【請求項１】
熱可塑性合成樹脂線條の多数を下向きのノズルより紡出して自然落下させ、溶融紡出した下降線條に針状またはこれに類する棒状体を側面より進入および退出の往復運動をさせ、立体網目集合体を製造する製造方法。
【請求項２】
請求項１の線條の表面は固化させ、内部は溶融状とする様、線條周囲の気温を線條の溶融温度より１０℃から１００℃の範囲内で低く設定して、線條の立体網目集合体を製造する製造方法。
【発明の詳細な説明】
【技術の分野】
【０００１】  本願発明は、合成樹脂立体網状集合体の製造法の新規な改善による製造方法に関する。
【背景技術】
【０００２】  合成樹脂線條の立体網状集合体の製造方法に多くの方法がある。線條を捲縮して接着剤等で固めたものや、加熱して線條相互を接着したもの、線條を編機等にて編織して立体化したもの、合成樹脂を溶融して未だ固化しない線條を湾曲接着したもの等がある。
【発明の開示】
【発明が解決しようとする課題】
【０００３】  線條の立体網目集合体での線條を捲縮して接着剤等により接合した立体網状集合体では、その接着剤の劣化等による解離の問題がある。線條の編織による立体網目集合体では、編織機にて製作できる範囲の線條径と、その線條径による耐圧等での強度に限界がある。合成樹脂を溶融してノズルから紡出し自然降下する線條においても、その太さに限界があり、細くする為には下方に引張伸長する方法しか無い為、その線條径は概ね１ｍｍ径位までである。【０００４】  合成樹脂を溶融してノズルから下向きに紡出して、この下降溶融線條にジェットエアー等を吹き付けて溶融線條を褶曲させ立体網目集合体を製造する特許１４５２９６１等があるが、この方法ではジェットエアーによる溶融下降線條の吹き飛ばしの均一性が得られない難がある。【０００５】  前項［０００４］で述べたジェットエアーの溶融線條での不均一性を解決する本願図示の如く、側面から針状またはこれに類する棒状体を進退させる事は容易に考えられる事であるが、針状または棒状体に溶融線條が付着してジェットエアーでの様には立体網状にはならず網状体はできない。
【課題を解決するための手段】
【０００６】  合成樹脂溶融線條の下降ゾーンを温度調整と、下方から温度調整したエアーを上向きに流す事により、下降速度を調整し且つ下降溶融線條の表面は固化し内部は溶融している状態にて、針状またはこれに類する棒状物を側方から進退させる事により、下降線條表面は固化している為、線條は付着せず、立体網状集合体とする事が出来る。【０００７】  溶融ノズル部の下部は囲いをして紡出線條の温度の均一安定を図り、その下部には下方から温度調節したエアーを上向きに流して下降速度を調整する囲いを設け、この囲いの中に金網製の引き取りコンベアを設け、針状またはこれに類する棒状物は、コンベア網目の進退に支障がなく、立体網状集合体も引き取れる様設ける
【発明実施の形態】
【０００８】  以下図面を用いて本願発明の実施形態を説明する。合成樹脂をダイス▲１▼より紡出し、保温囲▲２▼にて紡出線條▲３▼の温度均一化を図る。下降線條の捲縮化の為温度調節部の▲７▼と▲６▼で請求項１の条件に針状またはこれに類する棒状物▲４▼の側面からの進退により下降線條を捲縮し、冷却水▲１２▼で完全固化された立体網目集合体を▲１１▼のロールで引き取る。
【符号の説明】
【０００９】        １．ダイス
２．保温囲い
３．紡出線條
４．針状または類似棒
５．線條囲い網
６．温度調整内囲い
７．温度調整外囲い
８．温度調整エアー入り口
９．温度調整エアー出口
１０．立体網目集合体
１１．立体網目集合体引き取りロール
１２．立体網目集合体冷却水
【図１】
2015021213.tif 000003
(57)【要約】【課題】  ベルトループのないスカートにベルト位置がずれないよう固定してベルトが利用できるようにしたベルトループクリップを提供する。【解決手段】  クリップ（１）に帯状の布を取り付け、ベルト通し部であるベルトループ（２）を設ける。ベルトループクリップのおもて面にはリボンやボタンなどの装飾品（３）を設けることを特徴とする。【選択図】図１
2015021212.tif 000002
【特許請求の範囲】
【請求項１】
クリップに帯状の布を取り付けベルトの通し部を設け、ベルトループの機能を持たせたベルトループクリップ。
【発明の詳細な説明】
【技術分野】
【０００１】  本発明は、クリップに帯状の布を取り付けることで、ベルトの通し部を設け、ベルトがウエスト位置からずれないように固定できる工夫をし、ベルトループのないスカートにベルトが利用できるようにしたベルトループクリップに関するものである。
【背景技術】
【０００２】  従来、スカートのウエスト部分は、痩せるとゆるくなり、スカートがずり落ちてきて着られなくなった。洋服屋にお直しに出すか、または別にスカートを買いなおさなくてはいけなかった。
【先行技術文献】
【特許文献】
【０００３】
【特許文献１】  特開２０１０−１８０５１８号公報
【特許文献２】  特開２０１０−３７７０６号公報
【発明の概要】
【発明が解決しようとする課題】
【０００４】  そのために、次のような問題点があった。
ベルトループのないスカートではベルトが固定できず、痩せるとウエストがぶかぶかでゆるくなり、落ちてきてしまう。
ベルトループがないスカートにベルトを巻くと体の動きでずり上がったりずり下がったりしてベルトの位置が固定できなかった。
本発明は、これらの問題点を解決するためになされたものである。
【課題を解決するための手段】
【０００５】  クリップに帯状の布を取り付けベルトの通し部を設け、ベルトループの機能を持たせたベルトループクリップ。
【発明の効果】
【０００６】  痩せてゆるくなってずり落ちてくるスカートに、ベルトループが付いてなくても、本発明品を使えば簡単にベルトがウエストにぴったりおさまりスマートに着こなせる。
薄い布地、厚い布地でも布地を選ばずベルトループクリップをはさめばベルトループになる。
ベルトループはいろいろな布を使い色柄を楽しめ、おしゃれに装える。
おもて面にリボンなどを装飾すれば、いつものスカートが全く違うデザインに見える。
一枚のスカート前身頃に２本、後ろ身頃に２本、計４本のベルトループクリップを使用する。
もうゆるくなって着れないと思いあきらめていたスカートがはけるようになり、経済的である。
身体をひねったり転んだりしても身体を傷つけない安全なつくりである。
【図面の簡単な説明】
【０００７】
【図１】  本発明の表面の斜視図
【図２】  本発明の裏面の斜視図
【図３】  本発明の使用状態を示した斜視図
【発明を実施するための形態】
【０００８】  発明を実施するための形態について説明する。
クリップ（１）に帯状の布を取り付け、ベルト通し部であるベルトループ（２）を設ける。
ベルトループクリップおもて面には、リボンやボタンなどの装飾品（３）をつける。
本発明は以上のような構成である。
これを使用するときは、クリップ（１）を開いてスカートウエスト部のへりにあててはさむ。前身頃に２本、後身頃に２本はさみ、ベルトループ（２）の輪にベルトを通す。ベルトは上下に移動することなく、ウエスト位置にぴったり安定する。
装飾品（３）もスカートやベルトとの組み合わせを考え、色柄をいろいろ楽しめお洒落な装いを演出できる。
【符号の説明】
【０００９】      １    クリップ
２    ベルトループ
３    装飾品
【図１】
2015021212.tif 000003
【図２】
2015021212.tif 000004
【図３】
2015021212.tif 000005
(57)【要約】【課題】金属製の有刺鉄線を素人がベランダや壁に取り付けるのはとがった刺針部でけがをする危険性が大であり、またベランダや壁を傷つけたり施工者の衣服を破るなどの器物破損も起こしうるため不可能だった。  本発明は素人でも簡単に取り付けることのできる安全な偽装の防犯シリコン有刺鉄線を提供する。【解決手段】耐久性と耐候性と安全性を備えた軟質性の各シリコン素材からなる線状のロープ部をより合わせ、とがった刺針部と巻き付け部は熱、または接着剤で融合したことを特徴とする偽装の防犯シリコン有刺鉄線。【選択図】図１
2015021379.tif 000002
【特許請求の範囲】
【請求項１】
耐久性と耐候性と安全性を備えた軟質性の各シリコン素材からなる線状のロープ部をより合わせ、とがった刺針部と巻き付け部は熱、または接着剤で融合した偽装の防犯シリコン有刺鉄線。
【発明の詳細な説明】
【技術分野】
【０００１】本発明は、耐久性と耐候性と安全性を備えた軟質性のシリコン素材を使用した偽装の防犯シリコン有刺鉄線に関するものである。
【背景技術】
【０００２】従来、金属製の有刺鉄線を施工するに際しては先のとがったいくつもの刺針を巻き付けた鉄線で危険が大であり、専門の職人に依頼して取り付けていた。
【先行技術文献】
【特許文献】
【０００３】
【発明の概要】
【発明が解決しようとする課題】
【０００４】金属製の有刺鉄線を素人がベランダや壁に取り付けるのはとがった刺針部でけがをする危険性があり、また施工被対物のベランダや壁を傷つけたり、施工者が衣服を破るなどの器物破損も起こしうるため素人が金属製の有刺鉄線を施工することは不可能だった。
本発明は、以上の問題点を解決するためになされたものである。
【課題を解決するための手段】
【０００５】耐久性と耐候性と安全性を備えた軟質性のシリコン素材を使用した偽装の有刺鉄線。
以上の構成よりなる防犯シリコン有刺鉄線。
【発明の効果】
【０００６】従来不可能とされていた素人が有刺鉄線をベランダや壁への取り付けを本発明により可能にし、安全に防犯対策をすることができる。
本発明は、本発明を施工したベランダや壁を第三者が見たときに、本物の金属製の有刺鉄線を張り巡らせていると錯覚するため防犯対策だけでなく防犯抑止効果を高めることもできる。
【図面の簡単な説明】
【０００７】
【図１】本発明の斜視図
【図２】本発明の使用状態を示す斜視図
【発明を実施するための形態】
【０００８】以下、本発明の実施の形態を説明する。
（イ）  軟質性のシリコン素材からなる線状の偽装の有刺鉄線（１）の各ロープ部（２）をより合わせ、巻き付け部（３）と刺針部（４）を複数設ける。
（ロ）  とがった刺針部（４）と巻き付け部（３）は熱、または接着剤で融合し、複数設ける。
本発明は以上のような構造である。
本発明を使用するときは、軟質性のシリコンの偽装の有刺鉄線（１）なので素人でも安全で、また簡単にベランダ（５）や壁に取り付けられる。またとがった刺針部（３）も軟質性のシリコンなので施工被対物のベランダ（５）や壁を傷つけたり、施工者の衣服を破るなどの器物破損も起こらない。
【符号の説明】
【０００９】１有刺鉄線、２ロープ部、３巻き付け部、４刺針部
【図１】
2015021379.tif 000003
【図２】
2015021379.tif 000004
(57)【要約】【課題】冷媒分流不良の発生を防ぎ、熱交換能力低下を最小限に抑えること。【解決手段】本発明の空気調和装置は、冷媒を圧縮する圧縮機と、冷房運転と暖房運転を切換える際に冷媒の流れを切換える四方弁と、熱交換器と膨張弁との間に配した分流器と、を備えた空気調和装置であって、前記分流器から伸びた複数の接続配管のうち、任意の２本を組みにして前記熱交換器に接続することで、偏流したエリアとその他のエリアを混合することでパスごとに起こる冷媒量の差を少なくし、分流不良を少なくすることで、熱交換効率の低下を抑えることができる。【選択図】図２
2015021657.tif 000002
【特許請求の範囲】
【請求項１】
冷媒を圧縮する圧縮機と、冷房運転と暖房運転を切換える際に冷媒の流れを切換える四方弁と、熱交換器と膨張弁との間に配した分流器と、を備えた空気調和装置であって、前記分流器から伸びた複数の接続配管のうち、任意の２本を組みにして前記熱交換器に接続することを特徴とする空気調和装置。
【請求項２】
前記複数の接続配管と前記分流器との接続位置は略円形状に配されており、前記任意の２本は、対向する接続配管であることを特徴とする請求項１に記載の空気調和装置。
【発明の詳細な説明】
【技術分野】
【０００１】
本発明は、冷媒を均等に分流する分流器を搭載する空気調和装置に関するものである。
【背景技術】
【０００２】
従来、冷媒は、気相と液相との二相流となって流入口から分流器に流入し、その分流器内に設けられた衝突壁面に衝突せしめられ、気液二相流の均一化を促進させると共に、放射方向に配置された流出管へ円滑に流出させることによって各冷媒管への均等分流を行っていた（例えば、特許文献１参照）。
【先行技術文献】
【特許文献】
【０００３】
【特許文献１】特開平２−１６６３６６公報
【発明の概要】
【発明が解決しようとする課題】
【０００４】
しかしながら、前記従来の構成では、分流器に接続する配管内部抵抗により流量を設定しているので、分流器入口側の循環量変化もしくは気液混合比変化に対応できない場合があった。
【０００５】
本発明は、前記従来の課題を解決するもので、分流キャピを１パスあたり２本１組としてパスに応じた本数を接続する構造として、分流不良による性能低下を抑える空気調和装置を提供することを目的とする。
【課題を解決するための手段】
【０００６】
前記従来の課題を解決するために、本発明の空気調和装置は、分流キャピを１パスあたり２本１組としてパスに応じた本数を接続する構造として、この２本中１本は任意の１本とするが、この任意のものに組み合わされる１本は中心を通る対角線上に存在する１本とする。この接続により任意の１本に他のものより液冷媒が多く流れてもその中心を通る対角線上にある１本と接続することで１パスあたりに流れる冷媒量の偏流の割合を平均化することで分流不良による性能低下を抑えることができる。
【発明の効果】
【０００７】
本発明は、分流器入り口の偏流に対し１パスあたり２本１組とすることで、偏流したエリアとその他のエリアを混合することでパスごとに起こる冷媒量の差を少なくし、分流不良を少なくすることで、熱交換効率の低下を抑えることができる。
【図面の簡単な説明】
【０００８】
【図１】本発明の実施の形態１、２における空気調和装置の冷凍回路図
【図２】本発明の実施の形態１における分流器本体の構成図
【図３】本発明の実施の形態２における分流器本体の構成図
【発明を実施するための形態】
【０００９】
発明の空気調和装置は、冷媒を圧縮する圧縮機と、冷房運転と暖房運転を切換える四方弁と、熱交換器と膨張弁の間に配した分流器と、膨張弁と熱交換器との間に配した分流器とを備えた空気調和装置であって、前記分流器接続手段により、任意の1本に他のものより液冷媒が多く流れてもその中心を通る対角線上にある1本と接続することで1パスあたりに流れる冷媒量の偏流の割合を平均化することで分流不良による性能低下を抑えることが
できる。
【００１０】
以下、本発明の実施の形態について、図面を参照しながら説明する。なお、この実施の形態によって本発明が限定されるものではない。
【００１１】
（実施の形態１）
図１は本発明の空気調和装置の冷凍回路図である。図１に示すように、本実施の形態の空気調和装置は、蒸発側熱交換器を搭載する空気調和装置である。
【００１２】
本実施の形態の室外機６は、冷媒を圧縮する圧縮機１と、冷房運転と暖房運転を切換える際に、冷媒の流れを切換える四方弁２と、室外機電動膨張弁５と室外機熱交換器３との間に配した室外機分流器１１と、を備え、室外機熱交換器３には室外機送風機４が対向して設けられている。
【００１３】
また、室内機１０は、室内機電動膨張弁９と室内機熱交換器７との間に配した室内機分流器１２を備え、室内機熱交換器７には、室内機送風機８が対向して設けられている。
【００１４】
以上のように構成された空気調和装置において、以下、分流器の構造について説明する。
【００１５】
図２は、本発明の実施の形態１における分流器本体の構成図である。
【００１６】
分流キャピを1パスあたり2本1組としてパスに応じた本数を接続する構造として、この2本中1本は任意の1本とするが、この任意のものに組み合わされる1本は中心を通る対角線上に存在する１本とする。
【００１７】
図３は、本発明の実施の形態２における分流器本体の構成図である。
【００１８】
分流キャピを1パスあたり2本1組としてパスに応じた本数を接続する構造として、この2本中1本は任意の1本とするが、この任意のものに組み合わされる1本は中心を通る対角線上に存在する１本とする。また、組となる分流キャピを接続する部位は分流器内部にその構造を有する。
【産業上の利用可能性】
【００１９】
本発明の空気調和装置は、多室型、いわゆるマルチタイプの空気調和装置に限定されるものではなく、室内機・室外機が１対１である、いわゆるシングルタイプの空気調和装置にも適用できる。
【符号の説明】
【００２０】
１  圧縮機
２  四方弁
３  室外機熱交換器
４  室外機送風機
５  室外機電動膨張弁
６  室外機
７  室内機熱交換器
８  室内機送風機
９  室内機電動膨張弁
１０  室内機
１１  室外機分流器
１２  室内機分流器
【図１】
2015021657.tif 000003
【図２】
2015021657.tif 000004
【図３】
2015021657.tif 000005
(57)【要約】      （修正有）【課題】むかしからボルトを見て来ましたが、別の形のボルトが無いかと思い四角ボルトを思い付きました。【解決手段】ボルトの金属ひ労を考えると荷重の掛かり方にたい策が必要になります。このボルトですと軽滅できます。【選択図】図２
2015021617.tif 000002
【特許請求の範囲】
【請求項１】
図１  側面図  図２  平面図  ４角のすみに三角形中央に四角を設けボルトを扱う際により効率化がはかれます。
日本国中
【発明の詳細な説明】
【技術分野】
【０００１】
【背景技術】
【０００２】従来のボルトと変わり四角ボルトですと効率化がはかれます。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
四角のと合わせ４つのすみに三角と中央に四角のを設けて有ります。
【課題を解決するための手段】
【・・・・】
フリーハンドでしめて行き最後に工具で閉めます。
【発明の効果】
【・・・・】
今まで、ボルトの不具合が有りました。何とかならないものかと考えて来ました。
これですと確実にボルトの閉めすぎを防ぐ事が出きます。
【図面の簡単な説明】
【・・・・】
１
【図１】
側面図
【図２】
平面図
【発明を実施するための形態】
【・・・・】
変わった形のボルトはないかと考え思い付きました。
【実施例】
【・・・・】
【産業上の利用可能性】
【・・・・】
各工業製品、家庭用品の必じゅ品などに持って来いのボルトです。
【符号の説明】
【・・・・】
【受託番号】
【・・・・】
【図１】
2015021617.tif 000003
【図２】
2015021617.tif 000004
【手続補正書】
【提出日】平成26年10月10日(2014.10.10)
【手続補正１】
【補正対象書類名】明細書
【補正対象項目名】全文
【補正方法】変更
【補正の内容】
【発明の詳細な説明】
【技術分野】
【０００１】この発明は、四角ボルトに四つ隅三角型を設け中心部に四角のくぼみをそれぞれあることに関するものである。
【背景技術】
【０００２】従来、四つ隅三角型と四角ボルトとは別々になっていた。
【先行技術文献】
【特許文献】
【０００３】
【特許文献１】
【発明の概要】
【発明が解決しようとする課題】
【０００４】これは、次のような欠点があった。従来、四角ボルトは何度も使っていると、折れ曲がったり、ネジが痛んで困ることが多かった。本発明は、以上のような欠点をなくすためになされたものである。
【課題を解決するための手段】
【０００５】ボルトの軸  図１平面図  に四つの墨に三角のくぼみを設け、中心部に四角のくぼみを設ける。本発明は以上の構成よりなる四つ墨四角ボルトである。
【発明の効果】
【０００６】四つ隅のくぼみが四角ボルトの軸といったいになっているので、スパナで作業をするとき、これが地面に落下することがありません。スパナに遠心力をきかすことになんらさしつかえない。
【図面の簡単な説明】
【０００７】
【図１】本発明の平面図である。
【図２】本発明の側面図である。
【発明を実施するための形態】
【０００８】以下、本発明を実施するための形態について説明する。ボルトの軸の上部に四角ボルトに四つ隅のくぼみを設ける。四角ボルトにスパナを当てるように四つ墨、四角のくぼみにより遠心力をきかしスパナを回して、キッチリ閉める。本発明は以上のような構造である。これを使用するときフリーハンドをしようすることが何より重要である。
【産業上の利用可能性】
【０００９】物理学的にバランスと作用  反作用にあるとおりにすることは、大変重要なことである。スパナを取り扱うときに迅速、正確、簡単にあつかえます。又、ボルトを締めるときにスパナの落下することが無くて済みます。
【符号の説明】
【０００１０】１  平面図２  側面図
(57)【要約】【課題】  血液成分を主成分としたテストソイルは残留物の検出性が高いが、高疎水性のポリテトラフルオロエチレン（ＰＴＦＥ）に付着しにくいという問題がある。また、脂肪をテストソイルとした場合は、洗浄後の残留物を検出することが難しい。脂肪と血液との混濁状態を作成するのは困難であり、ＰＴＦＥへの付着性と検出性を両立するテストソイルが無かった。【解決手段】本発明のテストソイルは、常温で固体である脂肪に、血液凝固成分であるトロンビンを混合した物質（トロンビン入り脂肪）の層を第一層と第三層に持ち、第二層に血液層を持つ三層構造である。凝固作用により血液がトロンビン入り脂肪に固定され、更に血液の上をトロンビン入り脂肪で覆うことにより、洗浄の困難な汚染物である脂肪と血液の混合物を再現している。また、血液成分により、残留物の検出性も高いテストソイルとなっている。【特許請求の範囲】
【請求項１】
常温で固体である脂肪に、血液凝固成分であるトロンビンを混合した物質の層を第一層と第三層に持ち、第二層に血液層を持つ三層構造の洗浄評価用テストソイル。
【発明の詳細な説明】
【技術分野】
【０００１】本発明は、医療機器の洗浄において高疎水性の素材に塗布するための洗浄評価用試薬に関する。
【背景技術】
【０００２】手術器具等の洗浄プロセスを評価するための人工汚染物（テストソイル）としては、血液成分や鶏卵、ムチンなどタンパク質やでんぷんを主成分とした汚染物が使われている。
【先行技術文献】
【非特許文献】
【０００３】
【非特許文献１】  ＩＳＯ１５８８３−５：Ｔｅｓｔ  ｓｏｉｌｓ  ａｎｄ  ｍｅｔｈｏｄｓ  ｆｏｒ  ｄｅｍｏｎｓｔｒａｔｉｎｇ  ｃｌｅａｎｉｎｇ  ｅｆｆｉｃａｃｙ
【発明の概要】
【発明が解決しようとする課題】
【０００４】前記したような、タンパク質やでんぷんを主成分とするテストソイルは、高い疎水性を持つ物質、特にポリテトラフルオロエチレン（ＰＴＦＥ）などのフッ素系樹脂に付着させることが困難である。ＰＴＦＥは軟性内視鏡などに用いられている。疎水性の高いＰＴＦＥ製の機器へ付着した汚染物の主成分は脂肪であるが、表面に残留した脂肪を高精度に検出することは難しく、洗浄性評価をするのに適したテストソイルが存在しなかった。
【課題を解決するための手段】
【０００５】常温で固体である脂肪に、血液凝固成分であるトロンビンを混合した物質（トロンビン入り脂肪）を作成する。このトロンビン入り脂肪を加熱して溶かし、ＰＴＦＥの表面に塗布し、常温で固化させる。その表面へ血液を塗布し、固定する。その後、もう一度トロンビン入り脂肪を溶かしたものを塗布し、常温で固化させる。
【発明の効果】
【０００６】本発明のテストソイルは、血液を固定するためにトロンビンを混合した脂肪の層で挟み込んだ血液層で構成したものであり、脂肪によるＰＴＦＥへの付着と、血液成分による洗浄後残留物の高い検出性を実現している。
【発明を実施するための形態】
【実施例】
【０００７】以下、本発明の実施の例について、内径４ｍｍ、外径５ｍｍのシリコーン製チューブの両端にそれぞれ内径４ｍｍ、外径５ｍｍ、長さ５００ｍｍのＰＴＦＥ製チューブを差し込み、ＰＴＦＥチューブの間隔が１５ｍｍになるよう固定されたチューブ状の器具の内側にテストソイルを作成する場合について述べる。
純正ラードを湯煎にて５０℃に熱し、３７℃に下がるようにした後にトロンビンを添加し、５００単位になるように調整する。
直径０．２８ｍｍ、長さ１３００ｍｍのステンレスワイヤーに、不織布を直径４ｍｍ程度になるよう取り付ける。
チューブの片側から、３７℃に加熱したトロンビン入りラードをマイクロピペットを用いて５０μｌ注入し、注入方向から４ｍｍ不織布付きステンレスワイヤーをチューブに通す。その後、チューブの逆側からも同様にトロンビン入りラードを５０μｌ注入し、注入方向から４ｍｍ不織布付きステンレスワイヤーをチューブに通す。
これを１時間常温にて放置した後、２０ｃｃシリンジを用いて５ｃｃの緬羊無菌血液を注入し、チューブ全体に血液がいきわたるよう、シリンジを押し引きして１０往復させる。中央のシリコーンチューブ部に血液を固定した状態で１５分常温にて放置する。その後、チューブから血液を押し出し、更に１５分常温にて放置する。
直径０．２８ｍｍ、長さ１３００ｍｍのステンレスワイヤーに、不織布を直径２ｍｍ程度になるよう取り付ける。
チューブの片側から３７℃に加熱したトロンビン入りラードをマイクロピペットを用いて３０μｌ注入し、注入方向から２ｍｍ不織布付きステンレスワイヤーをチューブに通す。その後、チューブの逆側からも同様にトロンビン入りラードを３０μｌ注入し、注入方向から２ｍｍ不織布付きステンレスワイヤーをチューブに通す。
これを１時間以上常温にて放置したものをテストソイルとする。